(57)【特許請求の範囲】
【請求項１】
少なくとも背面が金属外皮で形成されている構造用面材と木柱とで構成される耐力壁の構造において、複数の木柱を所定の間隔をおいて立設し、各木柱の前面側に固定用の金属板をその中央部にて固定し、金属板の前面側に隣接する構造用面材の側端部の背面を配置し、金属板の両端部に構造用面材を金属外皮にて固定することにより複数の構造用面材を並設してなることを特徴とする耐力壁の構造。
【請求項２】
少なくとも背面が金属外皮で形成されている構造用面材と木柱とで構成される耐力壁の構造において、複数の木柱を所定の間隔をおいて立設し、各木柱の前面側に固定用の金属板を配置し、金属板の前面側に隣接する構造用面材の側端部の背面を配置し、固定具により隣接する一方の構造用面材の背面側の金属外皮と金属板とを固定すると共に、他の固定具を隣接する他方の構造用面材の前面側から打入してこの構造用面材と金属板とを貫通して木柱に打ち込むことにより複数の構造用面材を並設してなることを特徴とする耐力壁の構造。
【請求項３】
構造用面材の背面側の金属外皮を貫通して構造用面材の内部に挿入される挿着部と該構造用面材の内部で拡開して金属外皮の内面に係止されるクリップ部とからなる固定具を用いて、構造用面材の金属外皮と固定用の金属板とを固定することを特徴とする請求項１又は請求項２に記載の耐力壁の構造。
【請求項４】
構造用面材は、一対の金属外皮間に断熱材が介装されると共に、幅方向の一端に凸状の嵌合部が設けられ、他端に上記嵌合部が嵌合可能な凹状の被嵌合部が設けられたサンドイッチパネルであることを特徴とする請求項１乃至請求項３のいずれかに記載の耐力壁の構造。
【発明の詳細な説明】
【０００１】
【発明の属する技術分野】
本発明は、例えば木造住宅の耐力壁の構造に関するものである。
【０００２】
【従来の技術】
木造住宅の壁は、複数の構造用面材２と木柱３とを組み合わせて構成されており、従来では、図８に示すように、構造用面材２を複数の木柱３の前面に配置し、構造用面材２の側端部の前面から木柱３に向かって釘４０を打入することによって、隣接する構造用面材２の側端部をそれぞれ木柱３に対して固定するようにしていた。
【０００３】
【発明が解決しようとする課題】
ところが、従来のように構造用面材２を釘４０などで木柱３に固定する構造にあっては、図９に示すように、釘４０が構造用面材２全体を貫通して木柱３に打入されることとなるために、過大な荷重が作用した場合には、釘４０に集中するせん断応力が大きくなり、図１０（ａ）のイ部に示すように、釘４０が大きく変形してしまい、そのために構造用面材２同士が互いに位置ずれするという問題がある。ここで、壁の破壊状況の試験では、固定具として釘４０を用いた場合は、荷重、変形の増大と共に、図１０（ｂ）のように釘４０が曲がったり、或いは構造用面材２から抜け出してしまい、耐荷重が低下していくことがわかっている。そこで、耐震性を高めるために従来では図８に示すように、間柱３’や筋交などの補助部材の数を増やすことも試みられているが、この場合、柱数が増えて材料の合理化を図ることができなくなるという問題が生じる。さらに、従来では釘４０の頭部４０ａが構造用面材２の外表面に現れるために、壁の外観を見苦しくするという問題もあった。
【０００４】
本発明は、上記の従来例の問題点に鑑みて発明したものであって、その目的とするところは、過大な荷重が作用した場合にも、構造用面材の固定部に加わるせん断応力を分散でき、優れた耐震構造が得られ、そのうえ構造用面材の外観上の見栄えを良くすることができると共に、間柱等の補助部材を省略できて材料の合理化を図ることができる耐力壁の構造を提供するにあり、他の目的とするところは、サンドイッチパネルを外壁として使用した場合でも、十分な耐荷特性を得ることができる耐力壁の構造を提供するにある。
【０００５】
【課題を解決するための手段】
上記課題を解決するために請求項１記載の発明にあっては、少なくとも背面が金属外皮４で形成されている構造用面材２と木柱３とで構成される耐力壁の構造において、複数の木柱３を所定の間隔をおいて立設し、各木柱３の前面側に固定用の金属板６をその中央部にて固定し、金属板６の前面側に隣接する構造用面材２の側端部の背面を配置し、金属板６の両端部６ａ，６ｂに構造用面材２を金属外皮４にて固定することにより複数の構造用面材２を木柱３に沿わせて並設してなることを特徴としており、このように構成することで、金属外皮４と金属板６部分において過大荷重を吸収できる構造となり、過大な荷重が作用した場合でも、構造用面材２の固定部に加わるせん断応力を分散でき、隣接する構造用面材２，２間にズレなどが発生するのを防止できると共に、従来のような間柱等の補助部材が省略可能となる。さらに隣接する構造用面材２の各側端部を１枚の金属板６を利用して１本の木柱３に対して効率良く固定できるようになる。
【０００７】
また、請求項２記載の発明は、少なくとも背面が金属外皮４で形成されている構造用面材２と木柱３とで構成される耐力壁の構造において、複数の木柱３を所定の間隔をおいて立設し、各木柱３の前面側に固定用の金属板６を配置し、金属板６の前面側に隣接する構造用面材２の側端部の背面を配置し、固定具８により隣接する一方の構造用面材２の背面側の金属外皮４と金属板６とを固定すると共に、他の固定具７を隣接する他方の構造用面材２の前面側から打入してこの構造用面材２と金属板６とを貫通して木柱３に打ち込むことにより複数の構造用面材２を木柱３に沿わせて並設してなることを特徴としており、このように構成することで、金属外皮４と金属板６部分において過大荷重を吸収できる構造となり、過大な荷重が作用した場合でも、構造用面材２の固定部に加わるせん断応力を分散でき、隣接する構造用面材２，２間にズレなどが発生するのを防止できると共に、従来のような間柱等の補助部材が省略可能となる。さらに隣接する構造用面材２の各側端部を１枚の金属板６を利用して１本の木柱３に対して効率良く固定できるうえに、他方の構造用面材２を木柱３に対して固定する際に金属板６を一緒に木柱３に対して固定でき、これにより、金属板６を木柱３に固定する作業を簡略化できるようになる。
【０００８】
また、請求項３記載の発明は、請求項１又は請求項２のいずれかにおいて、構造用面材２の背面側の金属外皮４を貫通して構造用面材２の内部に挿入される挿着部９と該構造用面材２の内部で拡開して金属外皮４の内面に係止されるクリップ部１０とからなる固定具８を用いて、構造用面材２の金属外皮４と固定用の金属板６とを固定することを特徴とするのが好ましく、この場合、挿着部９とクリップ部１０とからなる固定具８を用いて金属外皮４と金属板６とを簡易に固定できるようになり、しかも、挿着部９を構造用面材２全体に貫通させる必要もないので、挿着部９の挿入深さが浅くて済み、作業効率が向上するものである。
【０００９】
また、請求項４記載の発明は、請求項１乃至請求項３のいずれかにおいて、構造用面材２は、一対の金属外皮４，１１間に断熱材１２が介装されると共に、幅方向の一端に凸状の嵌合部１３が設けられ、他端に上記嵌合部が嵌合可能な凹状の被嵌合部１４が設けられたサンドイッチパネル２Ａであることを特徴とするのが好ましく、この場合、軽量で断熱性及び耐火性に優れ且つ工期短縮を図ることができる利点を備えているサンドイッチパネル２Ａを耐力壁１として住宅の外壁に使用することが可能となり、しかも優れた耐震構造を持ちながら、外側の金属外皮４には釘の頭部などが一切現れないため、サンドイッチパネル２Ａの外表面の外観向上を図ることができる。
【００１０】
【発明の実施の形態】
以下、本発明を添付図面に示す実施形態に基づいて説明する。
【００１１】
図１、図２は本実施形態の耐力壁１の構造の一例を示している。この耐力壁１は、少なくとも背面が金属外皮４で覆われた複数の構造用面材２と、固定用の金属板６と、木柱３と、木柱３と金属板６とを固定する釘７ａなどの固定具７と、金属板６と構造用面材２の金属外皮４とを固定する固定具８（例えば商品名「バルブタイト」）とを主な構成部品としている。そして、複数の木柱３を所定の間隔をおいて立設し、各木柱３の前面側に金属板６をその中央部にて固定し、金属板６の前面側に隣接する構造用面材２の側端部の背面を配置し、金属板６をその両端部にて隣接する構造用面材２の背面側の金属外皮４に固定することにより、複数の構造用面材２が木柱３に沿わせて並設された耐力壁１が構成されている。
【００１２】
本例では、木柱３と金属板６との接触部分には、木柱３内に含浸される防蟻材とか防腐材などの薬液、或いは湿気が金属板６に移行して金属板６を腐食させるのを防止するためのシート４１が介在されている。
【００１３】
また、構造用面材２として、図１に示すように、サンドイッチパネル２Ａが用いられる。このサンドイッチパネル２Ａは、一対の金属外皮４，１１間に断熱材１２が介装されており、一対の金属外皮４，１１のうち、背面側の１枚の金属外皮４のみが後述のように固定具８を用いて金属板６に固定されるようになっている。なお断熱材１２の材質としては発泡性樹脂とかロックウールなどがあるが、特に限定されない。また図２に示すように、サンドイッチパネル２Ａの幅方向Ｄの一端には凸状の嵌合部１３、他端には凹状の被嵌合部１４が各々設けられ、隣接するサンドイッチパネル２Ａの嵌合部１３と被嵌合部１４とを嵌合させることによって、複数のサンドイッチパネル２Ａ同士が嵌合可能となっている。図２では２枚１組のサンドイッチパネル２Ａを例示しているが、サンドイッチパネル２Ａの枚数は特に限定されるものではない。
【００１４】
サンドイッチパネル２Ａの背面側には枠材１５が配置されている。枠材１５は、図２に示すように、梁１６と土台１７との間に複数の木柱３が立設されて構成されている。ここでは、２枚１組のサンドイッチパネル２Ａに対して３本の木柱３が使用され、左側の木柱３が左側のサンドイッチパネル２Ａの外端部に沿って配置され、中央の木柱３が両サンドイッチパネル２Ａ，２Ａの側端部５に沿って配置され、右側の木柱３が右側のサンドイッチパネル２Ａの外端部に沿って配置されている。なお、木柱３及び土台１７として例えばスギが使用され、梁１６として例えばベイマツが使用されているが、もちろんこれら材質に限定されるものではない。
【００１５】
上記木柱３の前面には、図１に示すように、金属板６が固定されている。本例の金属板６は、木柱３の略全長にわたって延びた縦長形状をしており、木柱３の幅寸法よりも幅広となっている。そしてこの金属板６の中央部から木柱３に釘７ａを打入することで、金属板６が木柱３に対して固定されている。なお、釘７ａ以外にドリルねじなどを使用してもよい。また本例では、梁１６及び土台１７にもそれぞれ横長形状をした固定用の金属板６’が配置されており、この上下一対の金属板６’と左右一対の金属板６とが四角枠状に一体化されている。そして、図２に示すように、上記金属板６，６’によって、木柱３の前面と、梁１６及び土台１７の各前面がそれぞれ覆われた状態となっている。
【００１６】
上記固定用の金属板６の両端部６ａ，６ｂは、図１に示すように、木柱３の両外側方にそれぞれ突出しており、隣接する一方のサンドイッチパネル２Ａの背面側の金属外皮４と金属板６の一端部６ａ、隣接する他方のサンドイッチパネル２Ａの背面側の金属外皮４と金属板６の他端部６ｂとが後述の固定具８にて各々固定されている。なお図１中の１９は金属板６の両端部６ａ，６ｂに形成される孔部、１８はサンドイッチパネル２Ａの背面側の金属外皮４から断熱材１２の内部に達するように形成される孔部であり、これら孔部１８、１９は現場において電気ドリル等で形成されるものである。
【００１７】
本例の固定具８は、木柱３の長手方向に所定の間隔（例えば１５０ｍｍ間隔）をあけて複数箇所に配置されている。各固定具８はサンドイッチパネル２Ａ全体を貫通するのではなく、サンドイッチパネル２Ａの背面側の１枚の金属外皮４を貫通して断熱材１２の内部まで達して、金属外皮４と金属板６とを固定する働きをするものである。
【００１８】
図１に示す固定具８は、サンドイッチパネル２Ａの背面側の１枚の金属外皮４を貫通して断熱材１２の内部に挿入される挿着部９と、挿着部９の挿入後に断熱材１２の内部で拡開して金属外皮４の内面に係止されるクリップ部１０とを一体に備えたものとして構成されている。上記挿着部９は、図３に示すように、ネジ部２１と、ネジ部２１が貫通する筒形をしたヘッド部２０と、クリップ部１０を構成する収縮変形可能なスリーブ２２とが連設されている。
【００１９】
次に、サンドイッチパネル２Ａを木柱３に固定するにあたっては、最初に、金属板６の中央部を釘７ａで木柱３に固定しておく。その後、金属板６の孔部１９からサンドイッチパネル２Ａの孔部１８に向かって固定具８の挿着部９を挿入し、その後、挿着部９のヘッド部２０を固定用治具（図示せず）にて押さえつけながら、ネジ部２１を手前側に引き寄せると、ネジ部２１全体がヘッド部２０側に引き寄せられて、スリーブ２２が収縮変形して図１に示す蝶形のクリップ部１０が形成される。このクリップ部１０が金属外皮４の内面に係止することによって、サンドイッチパネル２Ａの１枚の金属外皮４と金属板６とを固定具８にて固定できるようになる。ネジ部２１の不要部分は最後に切断除去される。なお、金属板６の他端部６ｂと隣接する他方のサンドイッチパネル２Ａの金属外皮４との固定も上記固定具８を用いて同様にして行うことができる。
【００２０】
次に、木造住宅壁の構造用面材２として、３５ｍｍ厚の２Ｐのサンドイッチパネル２Ａを使用した場合の耐荷特性を実験的に調査し、その実用化の可能性を調査したところ、以下の結果が得られた。先ず、構造用面材２を釘で木柱３に固定した試験体Ａと、構造用面材２をドリルねじ（テクス）で木柱３に固定した試験体Ｂと、金属板６と木柱３とを釘で固定し且つ金属板６と構造用面材２の金属外皮４とを固定具８で固定した本発明構造の試験体Ｃとを作成した。構造用面材２にはすべてサンドイッチパネル２Ａを使用した。これら試験体Ａ〜Ｃを水平型の面内せん断試験機にセットし、サンドイッチパネル２Ａの土台１７（図２）を固定し、サンドイッチパネル２Ａの全高に対して、１／４５０ｒａｄから１／３０ｒａｄまで横方向の面内せん断力を、繰り返し作用させることによって、耐荷特性を調査した。このときのＰ−θ曲線を図４（試験体Ｃ）、図５（試験体Ａ）、図６（試験体Ｂ）に示す。このとき、許容最大荷重（Ｐｍａｘ（ｋＮ））は、試験体Ａでは１６．５４２、試験体Ｂでは３２．１６２、試験体Ｃでは３６．６６４であった。また、壁倍率は、試験体Ａでは２．６５、試験体Ｂでは４．３１、試験体Ｃでは４．５３であった。ここに壁倍率とは、Ｐ0×α×（１／１．９６）×（１／Ｌ）で求められる。Ｐ0は、短期基準せん断力であり、１．９６は壁倍率１を算定する数値であり、Ｌは壁長さであり、αはサンドイッチパネル２Ａの耐力低減係数であり、本試験では、αを１として壁倍率を算出した。
【００２１】
ここで、上記各試験体Ａ、Ｂ、Ｃは、固定仕様の違いであり、試験体Ａ、Ｂと比較して本発明構造の試験体Ｃでは、上記のようにＰｍａｘ（ｋＮ）及び壁倍率面で優れており、より安定した耐荷特性を示しており、耐震要素としては問題のない性能を有していることが確認できた。さらに、試験体Ｃでは、固定具７、８の高強度化、大径化、木柱３に固定される金属板６の厚肉化により、一層の耐力、剛性の向上を図ることができることが確認された。
【００２２】
しかして、金属板６と木柱３とを釘７ａを用いて固定し且つサンドイッチパネル２Ａの背面側の金属外皮４と金属板６とを固定具８を用いて固定することによって、金属外皮４と金属板６部分において過大荷重を吸収できる構造となり、耐力壁１に過大な荷重が作用した場合でも、固定具７，８に加わるせん断応力が分散され、隣接するサンドイッチパネル２Ａ間にズレなどが発生するのを抑えることができるものである。従って、サンドイッチパネル２Ａを住宅の耐力壁１として使用した場合でも、耐力壁１全体の変形能力（ねばり）を向上させることができ、地震エネルギーを吸収しやすい靱性のある構造とすることができ、優れた耐震構造が得られるものである。これにより従来のような間柱等の補助部材を省略できると共に強度の安定化を図ることができるので、材料コストを低減でき、耐力壁１を合理的な構造とすることができる。
【００２３】
また本例では、固定具８にて金属板６と金属外皮４とを固定する際には、挿着部９を金属板６に設けた孔部１９からサンドイッチパネル２Ａに設けた孔部１８に挿入し、サンドイッチパネル２Ａ内部でクリップ部１０を拡開させて抜け止めする方式を採用しているので、固定具８をサンドイッチパネル２Ａの背面側の金属外皮４に対して簡単且つ確実に固定できるようになり、そのうえ、挿着部９をサンドイッチパネル２Ａ全体に貫通させる必要がないので、挿着部９の挿入深さが浅くて済み、施工効率が大幅に向上し、断熱性、気密性及び金属外皮４の耐久性を損なわずに済むものである。
【００２４】
さらにサンドイッチパネル２Ａの外側の金属外皮１１には釘の頭部などが一切現れないため、サンドイッチパネル２Ａの外表面全体をすっきりとした外観にでき、耐力壁１の外観上の見栄えを良くすることができる。例えば、サンドイッチパネル２Ａの外側の金属外皮１１の表面に、レンガ調、タイル調、石目調、砂岩調などの無機質系表面化粧材を施したり、或いは、タイル又は石目調シートなどを貼り付けたりしてもよく、これによって、サンドイッチパネル２Ａの外観を、美麗且つ高級的なものとすることができ、耐力壁１の外観意匠性を大幅に改善することができる。なお、本発明の耐力壁１は外壁としてだけでなく、例えば、応接室やリビング、トイレ、寝室などに合わせた模様、色彩を壁表面に施すことで、室内壁としても使用できるのはもちろんのことである。このようにサンドイッチパネル２Ａを住宅の内外壁にそれぞれ使用することによって、耐震性が向上する効果に加えて、軽量で断熱性に優れしかも耐火性、気密性、水密性をも有し、且つ工期短縮を図ることができるというサンドイッチパネル２Ａ特有の効果も当然得られるものである。
【００２５】
なお、前記実施形態では、サンドイッチパネル２Ａ、２Ａの側端部５側を１本の木柱３に固定する場合を説明したが、最も外側に位置するサンドイッチパネル２Ａの外端部を１本の木柱３に固定する場合も上記と同様な方法で行うことができる。つまり、金属板６の一端部６ａ（或いは６ｂ）のみを木柱３の側方に突出させ、この突出させた金属板６部分と最も外側に位置するサンドイッチパネル２Ａの背面側の金属外皮４とを固定具８にて固定すればよいものである。
【００２６】
本発明の他の実施形態を図７に示す。本実施形態では、複数の木柱３を所定の間隔をおいて立設し、各木柱３の前面側に金属板６を配置してある。金属板６の幅寸法は、木柱３の幅寸法よりも幅広とされ、金属板６の幅方向の一端部には位置決め用屈曲部６ａ’が設けられ、この屈曲部６ａ’を木柱３の側面に当接させることによって、金属板６が木柱３に対して位置決めされるようになっている。この金属板６の前面側には、隣接する構造用面材２の側端部の背面がそれぞれ配置されており、バルブタイトなどの固定具８を用いて、隣接する一方の構造用面材２の背面側の金属外皮４と金属板６とが固定されている。さらに他の固定具７としてドリルネジ７ｂを隣接する他方の構造用面材２の前面側から打入してこの構造用面材２と金属板６とを貫通して木柱３に打ち込んであり、これにより構造用面材２と金属板６とが木柱３にそれぞれ固定されており、このようにして複数の構造用面材２が木柱３に沿わせて並設された耐力壁１が構成されている。
【００２７】
しかして、他方の構造用面材２を木柱３に対して固定する際に金属板６を一緒に木柱３に対して固定でき、これにより、金属板６を木柱３に固定する作業を省略できるようになる。また、金属板６の位置決め用屈曲部６ａ’を木柱３の側面に当接させることによって、金属板６を木柱３に対して位置決めでき、金属板６の位置決め作業が省略できる。なお、このとき釘などで金属板６を木柱３に仮止めしてもよいものであり、この場合、金属板６を確実に位置決めでき、他方の構造用面材２を木柱３に固定する作業が一層容易となる。また、一方の構造用面材２は固定具８を用いてその金属外皮４と金属板６とを簡単に固定できるようになる。これにより、複数の構造用面材２を１本の木柱３に対して効率良く固定できるようになると共に、固定具７を構成するドリルネジ７ｂの頭部は構造用面材２の突出部２ｂで覆われているので、ドリルネジ７ｂの頭部が外部に露出することがなく、また固定具８も外部に露出しないため、固定具７、８による外観低下を防止できる。さらに、屈曲部６ａ’を有する金属板６と木柱３との接触部分にはシート４１を介在させてあるので、前記実施形態と同様、木柱３内に含浸される防蟻材とか防腐材などの薬液、或いは湿気が金属板６に移行して金属板６を腐食させるのを防止できるという利点もある。
【００２８】
また、前記各実施形態では、構造用面材２としてサンドイッチパネル２Ａを例示したが、もちろんサンドイッチパネル２Ａに限られるものではなく、少なくとも背面が金属外皮４で形成されている構造用面材２であれば広く適用可能である。
【００２９】
【発明の効果】
上述のように請求項１記載の発明にあっては、少なくとも背面が金属外皮で形成されている構造用面材と木柱とで構成される耐力壁の構造において、複数の木柱を所定の間隔をおいて立設し、各木柱の前面側に固定用の金属板をその中央部にて固定し、金属板の前面側に隣接する構造用面材の側端部の背面を配置し、金属板の両端部に構造用面材を金属外皮にて固定することにより複数の構造用面材を並設してなるので、構造用面材の金属外皮と金属板部分において過大荷重を吸収できる構造となり、過大な荷重が作用した場合でも、構造用面材の固定部に加わるせん断応力を分散でき、隣接する構造用面材間にズレなどが発生するのを抑えることができ、従来のような間柱等の補助部材を省略できる結果、耐力壁全体の変形能力（ねばり）を向上させることができ、地震エネルギーを吸収しやすい靱性のある構造とすることができ、優れた耐震構造が得られ、耐力壁の強度を安定化させることができると共に、材料コストの低減化を図ることができ、耐力壁を合理的な構造とすることができるものである。さらに隣接する構造用面材の各側端部を１本の木柱に対して効率良く固定できるようになり、作業効率が一層向上する。
【００３１】
また、請求項２記載の発明は、少なくとも背面が金属外皮で形成されている構造用面材と木柱とで構成される耐力壁の構造において、複数の木柱を所定の間隔をおいて立設し、各木柱の前面側に固定用の金属板を配置し、金属板の前面側に隣接する構造用面材の側端部の背面を配置し、固定具により隣接する一方の構造用面材の背面側の金属外皮と金属板とを固定すると共に、他の固定具を隣接する他方の構造用面材の前面側から打入してこの構造用面材と金属板とを貫通して木柱に打ち込むことにより複数の構造用面材を並設してなるので、構造用面材の金属外皮と金属板部分において過大荷重を吸収できる構造となり、過大な荷重が作用した場合でも、構造用面材の固定部に加わるせん断応力を分散でき、隣接する構造用面材間にズレなどが発生するのを抑えることができ、従来のような間柱等の補助部材を省略できる結果、耐力壁全体の変形能力（ねばり）を向上させることができ、地震エネルギーを吸収しやすい靱性のある構造とすることができ、優れた耐震構造が得られ、耐力壁の強度を安定化させることができると共に、材料コストの低減化を図ることができ、耐力壁を合理的な構造とすることができるものである。さらに隣接する構造用面材の各側端部を１本の木柱に対して効率良く固定できるうえに、他方の構造用面材を木柱に対して固定する際に金属板を一緒に木柱に対して固定でき、これにより、金属板を木柱に固定する作業を簡略化でき、作業効率を一層向上させることができる。
【００３２】
また、請求項３記載の発明は、請求項１又は請求項２に記載の効果に加えて、構造用面材の背面側の金属外皮を貫通して構造用面材の内部に挿入される挿着部と該構造用面材の内部で拡開して金属外皮の内面に係止されるクリップ部とからなる固定具を用いて、構造用面材の金属外皮と固定用の金属板とを固定するので、構造用面材の金属外皮と金属板とを固定するにあたっては、固定具の挿着部を金属板と金属外皮とを貫通して構造用面材内部に挿入しその後クリップ部を形成することで、金属外皮と金属板とを固定具にて簡易且つ確実に固定できる構造となり、そのうえ、挿着部を構造用面材全体に貫通させる必要もないので、挿着部の挿入深さが浅くて済み、施工効率が向上するものである。
【００３３】
また、請求項４記載の発明は、請求項１乃至請求項３記載のいずれかの効果に加えて、構造用面材は、一対の金属外皮間に断熱材が介装されると共に、幅方向の一端に凸状の嵌合部が設けられ、他端に上記嵌合部が嵌合可能な凹状の被嵌合部が設けられたサンドイッチパネルであるので、軽量で断熱性及び耐火性に優れ且つ工期短縮を図ることができる利点を備えているサンドイッチパネルを耐力壁として住宅の外壁に使用することが可能となり、しかも、サンドイッチパネルの背面側の金属外皮のみを固定具にて固定用の金属板に固定することによって、断熱性及び気密性に優れしかも金属外皮の耐久性を損なわず、優れた耐震構造を持ちながら、同時に外側の金属外皮には固定具が一切現れないため、サンドイッチパネルの外表面全体をすっきりさせることができ、見栄えが良いものとなり、さらにサンドイッチパネルの外側の金属外皮表面に、レンガ調などの化粧材を施すことで、サンドイッチパネルからなる外壁を美麗且つ高級的なものとすることができる。
【図面の簡単な説明】
【図１】本発明の実施形態の一例を示し、図２のＥ―Ｅ線断面図である。
【図２】同上の耐力壁の一部破断した正面図である。
【図３】同上の固定具の側面図である。
【図４】同上のＰ―θ曲線図である。
【図５】第１の参考例のＰ―θ曲線図である。
【図６】第２の参考例のＰ―θ曲線図である。
【図７】他の実施形態の水平断面図である。
【図８】従来の耐力壁の一部破断した正面図である。
【図９】図８のＦ―Ｆ線断面図である。
【図１０】（ａ）、（ｂ）は従来の構造用面材の接合部における破壊モードの説明図である。
【符号の説明】
１  耐力壁
２  構造用面材
２Ａ  サンドイッチパネル
３  木柱
４，１１  金属外皮
６  固定用の金属板
６ａ  一端部
６ｂ  他端部
７  固定具
８  固定具
９  挿着部
１０  クリップ部
１２  断熱材
１３  嵌合部
１４  被嵌合部
Ｄ  幅方向
【図１】
0004430831.tif 000002
【図２】
0004430831.tif 000003
【図３】
0004430831.tif 000004
【図４】
0004430831.tif 000005
【図５】
0004430831.tif 000006
【図６】
0004430831.tif 000007
【図７】
0004430831.tif 000008
【図８】
0004430831.tif 000009
【図９】
0004430831.tif 000010
【図１０】
0004430831.tif 000011